(57)【要約】【課題】タッチパネルで画面上のメニューを選択する際に、ユーザーに違和感を覚えさせずに機能操作のアイコンの選択操作が確実にできる画像表示装置を提供する【解決手段】画像表示装置に遠隔制御のための複数のアイコンから構成されるメニューを画面に表示するメニュー表示手段を設け、リモコンに画面に表示されるメニューと座標が対応したタッチパネルを設け、これらのアイコンはそれぞれ隣接するアイコンとの境界に所定の幅の中間領域を有し、中間領域をポイントしたときに、隣接するアイコンがいずれも未選択の状態では前記タッチパネルの座標に対応したアイコンが選択され、隣接するアイコンのいずれかが選択状態にあるときアイコン選択状態が変わらないようにする。【選択図】図３
2005057563.tif 000002
【特許請求の範囲】
【請求項１】
遠隔制御装置によって遠隔制御される画像表示装置で、前記画像表示装置に遠隔制御のための複数のアイコンから構成されるメニューを画面に表示するメニュー表示手段を設け、前記遠隔制御装置に前記画面に表示されるメニューと座標が対応し前記メニュー表示手段により表示される前記アイコンを選択するためのタッチパネルを設けた画像表示装置において、前記アイコンはそれぞれ隣接するアイコンとの境界に所定の幅の中間領域を有し、前記中間領域をポイントしたときに隣接するアイコンがいずれも未選択の状態では前記タッチパネルの座標に対応したアイコンが選択され、隣接するアイコンのいずれかが選択状態にあるときアイコン選択状態が変わらないことを特徴とする画像表示装置。
【発明の詳細な説明】
【技術分野】
【０００１】
本発明はテレビジョン受像機、ビデオレコーダ装置などの遠隔制御が可能な画像表示装置に関するものである。
【背景技術】
【０００２】
近年、テレビジョン放送の多チャンネル化およびビデオテープレコーダとの複合化等が進み、またテレビジョン装置と連動したＡＶ機器を統一的に遠隔制御する遠隔制御装置（以下、リモコンと記す）が必要とされようになった。このために、遠隔制御装置の一つの機能について一つのキーを対応させるだけでは、キーが足りなくなり、やむを得ず一つのキーに２つ以上の機能を持たせる、もしくは一定の面積中に数多いキーを配置するために小さなキーを配置するなどの処置がとられていた。
【０００３】
しかしながらこの場合、１つのキーに対する２つ以上の機能をユーザーが覚える必要があり、また小さな多数のキーを選択する必要があり、操作が容易でなかった。
【０００４】
これに対して、従来、リモコンに設けられたタッチパネルからアイコンを選択して画像表示装置に信号を送信するものを提案した（例えば特許文献１を参照）。その技術を以下に簡単に説明する。
【０００５】
このようなリモコンにおいて指で画面上のアイコンを選択する場合、指の支持が安定しないため微妙な震えを生じ、このため、アイコンとアイコンの境界近くに触れているときに、選択しているアイコンの表示も安定せず指の震えに合わせて表示が変わるという問題点がある。この問題点を解決するために、前記従来の技術は、遠隔制御のための複数のアイコンから構成されるメニューを画面に表示するメニュー表示手段を設け、リモコンに画面に表示されるメニューと座標が対応し、メニュー表示手段により表示される前記アイコンを選択するためのタッチパネルを設けた画像表示装置であって、隣接するアイコンの境界に所定の幅のアイコンの選択の状態の変化を反映しない領域（中間帯）を有したものである。
【特許文献１】特開平１１−１２７３９９号公報
【特許文献２】特開平８−２６５８７８号公報
【特許文献３】特開平７−４９７４９号公報
【特許文献４】実開平６−７００３０号公報
【発明の開示】
【発明が解決しようとする課題】
【０００６】
上記のようなリモコン上のタッチパネルは、アイコンの境界近くに触れているときに指の震えに合わせて表示が変わることを防止するものであるが、各アイコンの中間領域が全くの不感帯では、最初に不感帯を選択した場合、ユーザーがポイントしても反応していないと勘違いしてしまう。また、ポインティングカーソルが画面に表示されている場合は、ユーザーが境界近くを触っていると認識できアイコン中心方向へずらして修正できるが、表示していない場合は認識できない。
【課題を解決するための手段】
【０００７】
前記課題を解決するために、本発明は、遠隔制御装置によって遠隔制御される画像表示装置で、前記画像表示装置に遠隔制御のための複数のアイコンから構成されるメニューを画面に表示するメニュー表示手段を設け、前記遠隔制御装置に前記画面に表示されるメニューと座標が対応し前記メニュー表示手段により表示される前記アイコンを選択するためのタッチパネルを設けた画像表示装置において、前記アイコンはそれぞれ隣接するアイコンとの境界に所定の幅の中間領域を有し、前記中間領域をポイントしたときに隣接するアイコンがいずれも未選択の状態では前記タッチパネルの座標に対応したアイコンが選択され、隣接するアイコンのいずれかが選択状態にあるときアイコン選択状態が変わらないことを特徴とするものである。
【発明の効果】
【０００８】
以上のように構成された本発明の画像表示装置によれば、指でタッチパネルに触れて機能操作のためのアイコンを選択する場合でも、ユーザーに選択動作での違和感を覚えさせず、かつ確実に選択決定操作が行うことが可能となる。
【発明を実施するための最良の形態】
【０００９】
（実施の形態１）
図１、図２、図３に本発明の実施の形態の一例を示す。図１は本発明の実施の形態１におけるリモコンと画像表示装置の画面の状態を示す図である。図２は本発明の実施の形態１における操作メニューの一例を示す図である。図３は本発明の実施の形態１における操作メニューの座標系の詳細を示す図である。
【００１０】
まず、図１は操作の概念を示す概念図で、図１において１は遠隔制御装置（以下リモコンと記す）であり、画像表示装置２の遠隔制御を行う。なお、遠隔制御信号としては赤外線、電波等に限定されない。
【００１１】
リモコン１はタッチパネル５と、スイッチ６から構成される。スイッチ６は例えば電源スイッチなど、最低限必要なスイッチがあればよい。もちろんスイッチ６がなくても構わない。画像表示装置２の画面３には操作メニュー４が通常の画面上に映し出されており、ユーザーは操作メニュー４を見ながらタッチパネル５に触れ、選択したいアイコン上で決定スイッチ７を押すと、アイコン化された機能を実行する命令をリモコン１より画像表示装置２に送出し、画像表示装置２がその命令を実行する。
【００１２】
なお、決定スイッチは図１中には表面に配置しているが、特にその配置を限定するものではない。
【００１３】
リモコン１上のタッチパネル５上の座標（ｘ、ｙ）は画像表示装置２の画面３中の操作メニュー４の図示した（ｘ、ｙ）に対応している。
【００１４】
次に操作メニュー４の詳細を、一例を挙げて示す。図２はビデオレコーダの操作を行う場合の操作メニュー４に該当する。このときユーザーが、ビデオレコーダが再生中である場合、再生メニュー８が表示されている。再生メニュー８は巻き戻し、早送り、停止、静止のそれぞれの機能を実行するためのアイコンが表示されたアイコン領域９ａ〜９ｄからなっている。ユーザーがリモコン１上のタッチパネル５に触れると、触れた部分に対応するアイコンの色が変わり、そのアイコンが選択されていることがユーザーに知らされる。ユーザーが希望する機能操作のアイコンが選択された状態で決定スイッチ７を押せば、所望の機能が実現される。
【００１５】
次にユーザーの選択操作を図３に示す。アイコンの選択の状態の変化を反映しない領域としての中間帯１０はアイコンの境界に所定の幅で配置される。以下、本図を用いて本発明の特徴とする動作を説明する。
【００１６】
まず、ユーザーが（ｘ１、ｙ１）を触れた場合は、中間帯上ではないアイコン領域９ｂに触っているので、アイコン領域９ａ〜９ｄのいずれもが未選択であっても、あるいはいずれかが選択された状態であっても、アイコン領域９ｂに対応する操作の早送りが選択される。当然のこととして、すでに早送りが選択されている場合は操作の続行と判断する。
【００１７】
また、ユーザーが（ｘ’１、ｙ’１）を触れた場合は、中間帯上のアイコン領域を触っているので次のように動作する。アイコン領域９ａ〜９ｄのいずれもが未選択の場合は、当該座標の属する中間帯の隣接するアイコン領域９ａも９ｂも未選択の状態であるので、タッチパネルの座標に対応するアイコン領域である９ｂが選択される。ここでアイコン領域９ａまたは９ｂのいずれかが選択状態にあるときは、当該中間帯の隣接するアイコンのいずれかが選択状態にあるのでアイコン選択状態が変わらない。なお、ユーザーが（ｘ’１、ｙ’１）を触れた場合において、アイコン領域９ｃや９ｄが選択状態にあっても、当該中間帯の隣接するアイコンは選択されていないのでアイコン領域９ｂのアイコンが選択される。
【００１８】
次にユーザーが指を中間帯上の（ｘ２、ｙ２）に移動してアイコン領域９ａに触っても、当該中間帯に隣接するアイコン領域９ｂが選択状態であるので、アイコンの選択は変化せず早送りを選択したままである。
【００１９】
次にユーザーが指を（ｘ３、ｙ３）に移動すると、中間帯上ではないアイコン領域９ａを触っているので、当該アイコン領域に対応する操作である巻戻しが選択される。
【００２０】
なお、以上の動作を特定のアイコン領域を例として説明したが、その他のアイコン領域においても同様の動作を行うことは言うまでもない
以上の動作によって、全てのアイコンが未選択の場合には、ユーザーの選択動作によっていずれかのアイコンが選択されることになり、操作しているのに反応しないという違和感を覚えさせることはない。しかし、いったんいずれかのアイコンが選択されると、ユーザーの指は選択したアイコン領域にあり、例えばアイコンの境界近くのを指が触っているときには指のわずかな移動に選択状態が反応しようとするが、本発明の構成を有する限り選択状態が反応することなく安定している。そして、選択状態にあるアイコン領域から十分に離れたアイコンを選ぶ場合は、選択したアイコンの属するアイコン領域を触れればアイコン選択されるため、上記のような安定性を有したまま操作しているのに反応しないという違和感を覚えさせることがない。
【産業上の利用可能性】
【００２１】
本発明にかかる画像表示装置は、ユーザーに違和感を覚えさせずに確実に選択決定操作が行えるものであり、遠隔制御が可能な画像表示装置等において有用である。
【図面の簡単な説明】
【００２２】
【図１】本発明の実施の形態１における操作の概念を示す概略図
【図２】本発明の実施の形態１における操作メニューの一例を示す概略図
【図３】本発明の実施の形態１における操作メニューの座標系の詳細図
【符号の説明】
【００２３】
１    リモコン
２    画像表示装置
３    画像表示装置の画面
４    操作メニュー
５    タッチパネル
６    スイッチ
７    決定スイッチ
８    再生メニュー
１０    中間帯
【図１】
2005057563.tif 000003
【図２】
2005057563.tif 000004
【図３】
2005057563.tif 000005